(57)【特許請求の範囲】
【請求項１】
水平軸芯（１）周りに鉛直回転自在な回転体（２）を設け、かつ、前記回転体（２）を前記水平軸芯（１）周りに回転駆動する駆動装置（６）を設けてなる回転遊戯設備（Ｃ）を、建物（Ｂ）に設けた回転遊戯設備付き建物であって、
前記建物（Ｂ）に、互いに高さの異なる第一屋上部（Ａ１）と第二屋上部（Ａ２）を設け、高位置にある第二屋上部（Ａ２）の横側方でかつ低位置にある第一屋上部（Ａ１）の上方において、前記回転体（２）が前記第二屋上部（Ａ２）より高位置にある前記水平軸芯（１）周りに前記第二屋上部（Ａ２）の建物部分（Ｂ２）の壁面に沿って鉛直回転するように前記回転遊戯設備（Ｃ）を配設するとともに、前記水平軸芯（１）の両端（１ａ）, （１ｂ）を支持する一対の支持部材（Ｄ）を、前記第一屋上部（Ａ１）において前記回転遊戯設備（Ｃ）の水平軸芯（１）の一端（１ａ）側を支持する第一支持部材（３）と、前記第二屋上部（Ａ２）において前記回転遊戯設備（Ｃ）の水平軸芯（１）の他端（１ｂ）側を支持する第二支持部材（４）とから構成してなる回転遊戯設備付き建物。
【請求項２】
前記回転遊戯設備（Ｃ）が観覧車（Ｃ１）である請求項１に記載の回転遊戯設備付き建物。
【発明の詳細な説明】
【０００１】
【産業上の利用分野】
本発明は、水平軸芯周りに鉛直回転自在な回転体を設け、かつ、前記回転体を前記水平軸芯周りに回転駆動する駆動装置を設けてなる回転遊戯設備を、建物に設けた回転遊戯設備付き建物に関する。
【０００２】
【従来の技術】
従来、回転遊戯設備付き建物としては、床面積の大きな建物の屋上に観覧車を設けることが考えられていた。
【０００３】
【発明が解決しようとする課題】
ところが、観覧車等の回転遊戯設備を設ける場合には、風圧等の応力によって、回転体が水平軸芯に沿った方向へ位置ずれするのを抑制すべく、支持部材を設けて構成しなければならず、通常、このような支持部材としては、前記水平軸芯を端部から斜方に支持する構成が設けられている。
ここで、建物Ｂに観覧車Ｃを設ける構成を考えると、図７に示すように、回転体２が水平軸芯１に沿った方向へ位置ずれするのを抑制する側の支持部材３，４は、大きな床面積を占めるため、屋上Ａの床面積の小さな建物Ｂでは、大きな径の観覧車Ｃを設置した回転遊戯設備付き建物とは出来ず、また逆に、屋上Ａの床面積の小さな建物Ｂでは、小径の観覧車Ｃを設置した回転遊戯設備付き建物しかできないという現状があった。
【０００４】
そこで、本発明の目的は、上記実情に鑑み、小さな床面積の建物であっても回転半径の大きな回転遊戯設備を設けてなる回転遊戯設備付き建物を提供する事にある。
【０００５】
【課題を解決するための手段】
水平軸芯周りに鉛直回転自在な回転体を設け、かつ、前記回転体を前記水平軸芯周りに回転駆動する駆動装置を設けてなる回転遊戯設備を、建物に設けた回転遊戯設備付き建物において、
上記目的を達成するための本発明の特徴構成は、
前記建物に、互いに高さの異なる第一屋上部と第二屋上部を設け、高位置にある第二屋上部の横側方でかつ低位置にある第一屋上部の上方において、前記回転体が前記第二屋上部より高位置にある前記水平軸芯周りに前記第二屋上部の建物部分の壁面に沿って鉛直回転するように前記回転遊戯設備を配設するとともに、前記水平軸芯の両端を支持する一対の支持部材を、前記第一屋上部において前記回転遊戯設備の水平軸芯の一端側を支持する第一支持部材と、前記第二屋上部において前記回転遊戯設備の水平軸芯の他端側を支持する第二支持部材とから構成してなることにあり、
前記回転遊戯設備は観覧車である事が望ましい。
【０００６】
【作用】
つまり、建物に、互いに高さの異なる第一屋上部と第二屋上部を設けてなるから、高位置にある第二屋上部の横側方でかつ低位置にある第一屋上部の上方において、回転体が第二屋上部より高位置にある水平軸芯周りに第二屋上部の建物部分の壁面に沿って鉛直回転するように回転遊戯設備を配設する事が出来る。従って、前記回転遊戯設備を支持する支持構造としては、水平軸芯の両端を支持する一対の支持部材を、第一屋上部において回転遊戯設備の水平軸芯の一端側を支持する第一支持部材と、第二屋上部において回転遊戯設備の水平軸芯の他端側を支持する第二支持部材とから構成する事が出来る。
【０００７】
【発明の効果】
従って、比較的小さな床面積の建物でも回転遊戯設備を設置出来、例えば、無味乾燥な都市中心部のビル街にも、格好の娯楽施設を提供することが出来る。
具体的には、互いに高さの異なる第一屋上部と第二屋上部とからなる建物を利用して、前記回転遊戯設備の前記支持部材を、低位置側の第一屋上部において前記回転遊戯設備の水平軸芯の一端側を支持する第一支持部材と、高位置側の第二屋上部において前記回転遊戯設備の水平軸芯の他端側を支持する第二支持部材とから構成するだけの簡易な構成で、かつ、第二屋上部の余剰スペースを用いて回転遊戯設備を設置出来るので経済的にも有利である。また、前記支持部材は、ともに、建物躯体に連設する構成となると強度的にも有利でありながら、さらに、支持部材が短い分だけ風圧等による揺れ幅を小さく設計でき、また、建物の躯体構造を用いて構成するから頑丈であり、回転遊戯設備の安全性にも寄与する事が出来る。
【０００８】
さらに、限られたスペースにあっても従来よりも大径の回転遊戯設備を設けることが出来るので、回転遊戯設備の使用者は地上から高い位置で利用することになって、娯楽性が高くなるとともに、全体として外観上も見映えが良く、都市（町）の景観を多様なものとするのにも役立つ。
尚、前記回転遊戯設備は観覧車であると、園観覧車の回転上端を建物の最上階よりも更に高い位置に設定することが容易であるから、使用者は建物の最上階よりもさらに高い位置から都市（町）の景観を眺めることが出来るようになって、通常、都市の景観を眺めるための眺望台を建物の最上階や屋上に設けるのに対して、より一層広範囲を展望出来るようになるとともに、一般に、観覧車は大径であるほど、高い位置での滞在時間が長く、眺望を楽しむのに有利である。
【０００９】
【実施例】
以下に本発明の実施例を図面に基づいて説明する。
図１〜３に示すように、本発明の回転遊戯設備付き建物は、一部分が６階建て、他の部分が１０階建てで、６階建て部分Ｂ１に第一屋上部Ａ１，１０階建て部分Ｂ２に第二屋上部Ａ２を設けてなる建物Ｂに、前記第一屋上部Ａ１の上方空間に半径約４０メートルの観覧車Ｃ１を配設して構成してある。尚、図中Ｂ３は、前記第二屋上部Ａ２のさらに上方側に設けてなる屋上室であり、その上面部が第三屋上部Ａ３であり、各屋上部Ａ１〜Ａ３を総称して天部と呼ぶ。
【００１０】
図２〜３に示すように、前記観覧車Ｃ１は、水平軸芯１周りに回転自在な回転体２を備えてなり、前記回転体を前記水平軸芯１の両端部で支持する第一支持部材３、第二支持部材４を設けて前記回転体２を前記第一屋上部Ａ１と、前記第二屋上部Ａ２との間で支持する構成にしてある。前記回転体は、前記水平軸芯１から放射状に設けてなる多数の放射状フレーム２ａとそれらの放射状フレーム２ａを等間隔に連係して回転自在にする環状フレーム２ｂとを一体に設け、さらに、人が乗降自在に構成してなり、人が中に入った状態で寛ぐための遊覧車５を、上下姿勢維持自在にそれぞれの放射状フレーム２ａの先端側に連設して構成してなる。また、前記第一支持部材３は、前記水平軸芯１の一端１ａを、前記第一屋上部Ａ１で支持する構成にしてあり、前記第二支持部材４は、前記水平軸芯１の他端１ｂを前記第二屋上部Ａ２で支持する構成にしてあり、両者をもって前記回転体が水平軸芯に沿った方向へ位置ずれするのを抑制する支持構造を成している。
前記第一支持部材３は、２本の支柱３ａ，３ｂをΛ字状に組み合わせて設け、ほぼ鉛直方向で前記水平軸芯を支持する構成としてあるとともに、前記第二支持部材４は、一対の支柱４ａ，４ａどうしをΛ字状に組み合わせて設けるとともに、支柱４ｂを設け、前記水平軸芯１を斜め方向に支持して前記回転体２が水平軸芯１に沿った方向へ位置ずれするのを抑制する構成にしてある。
また、前記建物の１０階建て部分Ｂ２で前記第一屋上部Ａ１の上方空間に面する位置に、前記回転体２を前記水平軸芯１周りに回転させる油圧シリンダ式の駆動装置６を設けてある。
【００１１】
前記駆動装置６は、図４に示すように、前記回転体２の環状フレーム２ｂから、前記建物の１０階建て部分Ｂ２側に突出形成してなる駆動用レール２ｄを挟持するローラー体６ａを回転駆動して、その回転駆動力を前記駆動用レール２ｄに伝達し、前記回転体２を全体として水平軸芯１周りに回転駆動する構成にしてある。
【００１２】
尚、前記第一屋上部Ａ１の前記回転体２下方には、前記支柱３ａ，３ｂ間に前記回転体２の先端部（遊覧車５の下端）の回転軌跡に沿った傾斜面を設けてなる乗降ステップ７を設けてあり、人が乗るべき遊覧車５が回転下端側で前記乗降ステップ７に沿って移動する間に、係員が人の乗降を誘導して、人が乗ったのを確認した状態で外から施錠するとともに、一回りして下りてきた遊覧車５に対しては係員が前記施錠を解除し、前記遊覧車５の移動軌跡上から外へ人を誘導して、安全に利用できるようにしてある。
【００１３】
以下に別実施例を説明する。
前記観覧車Ｃ１に替えて水平軸芯周りに揺動するものＣ２であってもよく（図５参照）、要するに本発明に言う回転とは、回転、回動、揺動、を含むものとし、前記観覧車Ｃ１等の回転型の遊戯設備、揺動型の遊戯設備等を総称して回転遊戯設備Ｃと呼ぶ。
また、建物Ｂとしては、図６に示すように、多数の屋上部Ａ１，Ａ２，Ａ３を有する構成であってもよい。
【００１４】
尚、特許請求の範囲の項に、図面との対照を便利にするために符号を記すが、該記入により本発明は添付図面の構成に限定されるものではない。
【図面の簡単な説明】
【図１】回転遊戯設備付き建物の全体斜視図
【図２】回転遊戯設備付き建物の縦断側面図
【図３】回転遊戯設備付き建物の正面図
【図４】駆動装置の概略図
【図５】別実施例の概念を示す側面図
【図６】別実施例の概念を示す正面図
【図７】従来技術の説明図（側面図）
【符号の説明】
１    水平軸芯
１ａ  一端
１ｂ  他端
２    回転体
３    第一支持部材
４    第二支持部材
６    駆動装置
Ａ１  第一屋上部
Ａ２  第二屋上部
Ｂ    建物
Ｂ２ 第二屋上部の建物部分
Ｃ    回転遊戯設備
Ｃ１  観覧車
Ｄ    支持部材
【図１】
0003719959.tif 000002
【図２】
0003719959.tif 000003
【図３】
0003719959.tif 000004
【図４】
0003719959.tif 000005
【図５】
0003719959.tif 000006
【図６】
0003719959.tif 000007
【図７】
0003719959.tif 000008